(57)【特許請求の範囲】
【請求項１】
体毛を処理する刃ヘッド部を設けた体毛処理部と、体毛処理を行うときに把持するグリップ部を設けた電気かみそり本体、からなる電気かみそりに、
水貯蔵部と、水貯蔵部から供給された水を加熱しスチームを生成するスチーム加熱部と、生成されたスチームを放出するスチーム放出部、からなるスチーム発生装置を、電気かみそり本体と別体に設け、
このスチーム発生装置が、二股に分かれた突出部を備えると共に、この二つの突出部に夫々スチーム放出部を設け、
この二つの突出部の向かい合う側面の間に、電気かみそり本体の刃ヘッド部側に設けたネック部を位置して、スチーム発生装置が電気かみそり本体に着脱自在で取り付けられるものであることを特徴とする電気かみそり。
【請求項２】
スチーム発生装置を電気かみそり本体に取り付けたとき、電気かみそりの本体回路と電気的接続を行う通電端子をスチーム発生装置に設けたことを特徴とする請求項１記載の電気かみそり。
【請求項３】
刃周辺部にスチーム放出部を設けたことを特徴とする請求項１又は２に記載の電気かみそり。
【請求項４】
人体と接触する体毛処理部の刃の設けられた面を正面するとき、側面に位置する人体に近い側の面にスチーム放出部を設けたことを特徴とする請求項３記載の電気かみそり。
【請求項５】
刃間にスチーム放出部を設けたことを特徴とする請求項３記載の電気かみそり。
【請求項６】
スチーム放出部あるいは体毛処理部を人体に接触させたときのみ、スチームを放出する判断装置を設けたことを特徴とする請求項１乃至５いずれか一つに記載の電気かみそり。
【請求項７】
グリップ部と離れた場所にスチーム加熱部を設けたことを特徴とする請求項１乃至６のいずれか一つに記載の電気かみそり。
【請求項８】
グリップ部を把持して体毛処理を行うとき、スチーム発生装置が、人体に対してグリップ部を挟んだ位置にあり、且つグリップ部および把持した手に接触しない場所に設けられたことを特徴とする請求項１乃至７のいずれか一つに記載の電気かみそり。
【請求項９】
体毛処理部とスチーム加熱部の間に水貯蔵部を位置させたことを特徴とする請求項１乃至８のいずれか一つに記載の電気かみそり。
【請求項１０】
体毛処理を行ったときに発生する体毛くずを吸引する吸引装置を設けたことを特徴とする請求項１乃至９のいずれか一つに記載の電気かみそり。
【請求項１１】
放出するスチームの量を使用者が調節できる調節部を設けたことを特徴とする請求項１乃至１０のいずれか一つに記載の電気かみそり。
【発明の詳細な説明】
【技術分野】
【０００１】
本発明は、電気かみそりに関するものである。
【背景技術】
【０００２】
従来から、皮膚または体毛の処理時にスチームをあてることで、毛穴を開いたり、体毛を柔らかくしたり、皮膚に張りを与えたりする理容的効果が得られるため、体毛処理を行う前にスチームをあてることがある。スチーム処理の道具として、例えば特許文献１のような携帯式のハンディ型スチーマなどがあり、手に持って皮膚や体毛にあて、手軽にスチーム効果を得るものである。
【０００３】
しかし、スチーム発生装置の取り付けられた電気かみそりはない。したがって、スチーム処理を体毛処理と同時には行えないため、ハンディ型スチーマの使用後、電気かみそりに持ち替える必要があり、スチームをあてた皮膚や体毛が体毛処理をするときには冷えてしまいスチーム効果が低下して理容的効果が充分に得られない。
【特許文献１】特表平８−５０１９５７号公報
【発明の開示】
【発明が解決しようとする課題】
【０００４】
本発明の電気かみそりは、上記の従来の問題点に鑑みて発明したものであって、スチーム処理と体毛処理を同時に行うことで、スチーム効果の高い状態で体毛処理が行え、体毛をより短く剃ることができ、体毛処理による皮膚への刺激を軽減することを課題とするものである。
【課題を解決するための手段】
【０００５】
上記課題を解決するために本発明では、体毛処理を行う複数の刃３２と、刃３２を覆う刃ヘッド部３１からなる体毛処理部３と、グリップ部１２を設けた電気かみそり本体１１、からなる電気かみそり１に、スチーム７用の水を蓄えた水貯蔵部２４、水貯蔵部２４から供給された水を加熱しスチーム７を生成するスチーム加熱部２３、生成されたスチーム７を放出するスチーム放出部２２、からなるスチーム発生装置２を、電気かみそり本体１１と別体に設け、このスチーム発生装置２が、二股に分かれた突出部２６を備えると共に、この二つの突出部２６に夫々スチーム放出部２２を設け、この二つの突出部２６の向かい合う側面の間に、電気かみそり本体１１の刃ヘッド部３１側に設けたネック部１５を位置して、スチーム発生装置２が電気かみそり本体１１に着脱自在で取り付けられるものであることを特徴とするものである。
【０００６】
このような構成をすることで、スチーム７をあてながらの体毛処理が可能になり、体毛処理中も高いスチーム効果を維持できるため、毛穴が開きより短く剃れ、体毛が柔らかくなり、肌の張りが保たれ体毛処理の刺激を軽減できる。
【０００８】
更に、電気かみそり本体１１にスチーム発生装置２を取り付けたとき、スチーム発生装置２に設けられた通電端子２８により電気かみそり本体１１の電気回路と電気的接続ができるものであってもよい。
【０００９】
また、電気かみそり１の体毛処理部３の刃３２周辺部に、スチーム発生装置２のスチーム放出部２２を設け、人体８に向けてスチーム７を放出してもよい。
【００１０】
更に、体毛処理を行うときに体毛処理部３の人体８に接触させる接触面３３を正面とし、刃ヘッド部３１側面の人体８に近い側の面に、スチーム発生装置２のスチーム放出部２２を設け、人体８に向けてスチーム７を放出してもよい。
【００１１】
また更に、体毛処理部３に複数設けられた刃３２と刃３２の間にスチーム発生装置２のスチーム放出部２２を設けて刃３２，３２間からスチーム７を放出してもよい。
【００１２】
上記の刃３２周辺部、刃ヘッド部３１側面の人体８に近い側の面、刃３２間のいずれか二つもしくは全てを組み合わせた形でスチーム放出部２２を設け、人体８に向けてスチーム７が放出される構成であってもよい。
【００１３】
また、スチーム放出部２２あるいは体毛処理部３が人体８に接触したときにのみ、スチーム７が放出されるものであれば、スチーム７の放出量が節約でき好ましい。
【００１４】
また、電気かみそり１のグリップ部１２と離れた場所にスチーム加熱部２３を設けることで、スチーム加熱部２３の熱がグリップ部１２を熱くせずにすみ、手が熱くならないため好ましい。
【００１５】
また、グリップ部１２を把持して体毛処理を行うとき、スチーム発生装置２が人体８に対してグリップ部１２を間に挟む構成とすることで、あごの下などを剃るときなどの人体８に電気かみそり本体１１が近づいたときでも、スチーム発生装置２が人体８に接触しにくくなり邪魔になりにくく、且つスチーム発生装置２をグリップ部１２および把持した手に接触しない場所に設けることで、人体８および把持している手にスチーム加熱部２３の熱が直接まわらないため好ましい。
【００１６】
また、刃ヘッド部３１とスチーム加熱部２３の間に水貯蔵部２４が位置する構成にすることで刃ヘッド部３１から離れた位置にスチーム加熱部２３が設けられ、スチーム加熱部２３により刃ヘッド部３１が熱くなることを防止できるものであってもよい。
【００１７】
また、体毛処理により発生した体毛くずを吸引する吸引装置５を設けることで、快適に体毛処理ができ好ましい。
【００１８】
更に、使用者の好みに合わせた快適なスチーム効果を得るために、放出するスチーム７の量を使用者が任意に選択調整できるものであってもよい。
【発明の効果】
【００１９】
上記のように本発明の請求項１記載の発明にあっては、体毛を処理する複数の刃と刃を覆う刃ヘッド部を設けた体毛処理部と、体毛処理を行うときに把持するグリップ部を設けた電気かみそり本体、からなる電気かみそりに、水貯蔵部と、スチーム加熱部と、スチーム放出部からなるスチーム発生装置を、電気かみそり本体と別体に設け、このスチーム発生装置が、二股に分かれた突出部を備えると共に、この二つの突出部に夫々スチーム放出部を設け、この二つの突出部の向かい合う側面の間に、電気かみそり本体の刃ヘッド部側に設けたネック部を位置して、スチーム発生装置が電気かみそり本体に着脱自在で取り付けられるものであるものであり、スチームをあてながら体毛処理が可能となり、スチームによる熱が冷めずにスチーム効果の高い状態で体毛処理ができ、毛穴の広がった状態で剃れ、体毛が柔らかくなり、皮膚に張りがでるため体毛処理による刺激を軽減できる。
【００２１】
また、スチーム発生装置が電気かみそり本体から着脱自在であるため、スチーム発生装置を使用しないとき、スチーム発生装置を電気かみそり本体から分離でき、邪魔にならず、電気かみそり本体の小型化が可能になる。
【００２２】
また、請求項２記載の発明にあっては、上記請求項１記載の発明の効果に加え、スチーム発生装置を電気かみそり本体に取り付けたとき、スチーム発生装置に設けられた通電端子が電気かみそりの本体回路と電気的接続を行い、スチーム操作を電気かみそり本体の操作と連動させることができ、スチーム操作および体毛処理操作の簡便化ができる。
【００２３】
また、請求項３記載の発明にあっては、上記請求項１又は２に記載の発明の効果に加え、電気かみそりの刃周辺部からスチームを放出することで、刃で処理される体毛ならびに皮膚のみにスチームがあてられ、無駄なスチームを少なくできる。
【００２４】
また、請求項４記載の発明にあっては、上記請求項３記載の発明の効果に加え、人体に接触して体毛処理を行う体毛処理部の人体への接触面を正面としたとき、側面に位置する人体に近い側の面からスチームを放出することで、元々鏡に刃ヘッド部および電気かみそり本体により隠れていた面にスチームがあたり、且つスチーム放出部が鏡に対して上記刃ヘッド部を挟んだ位置にありスチームによって鏡が曇ることを防げ、体毛の処理状況を確認するのに影響を与えにくい。
【００２５】
また、請求項５記載の発明にあっては、上記請求項３記載の発明の効果に加え、刃と刃の間からスチームを放出することで、スチームの両側を刃で囲まれているため、無駄なスチームが減らせ、より高いスチーム効果を維持できる。
【００２６】
また、請求項６記載の発明にあっては、上記請求項１乃至５記載の発明の効果に加え、スチーム放出部あるいは体毛処理部を人体に接触させたときにのみ、スチームが放出される判断装置を設けることにより、必要なときのみスチームを放出でき、スチームの放出量を抑えられるため、水貯蔵部の水の消耗を抑えられ、スチーム可能な時間を伸ばすことができる。
【００２７】
また、請求項７記載の発明にあっては、上記請求項１乃至６記載の発明の効果に加え、電気かみそり本体のグリップ部と離れた場所に、スチーム加熱部を設けることで、グリップ部の肥大およびグリップ部が熱くなることを防止でき、快適な持ち心地を得ることができる。
【００２８】
また、請求項８記載の発明にあっては、上記請求項１乃至７記載の発明の効果に加え、グリップ部を把持して体毛処理を行うとき、電気かみそりが人体に近づいても、スチーム放出部を除きスチーム発生装置は、人体に対しグリップ部を挟んだ位置にあり、且つグリップ部から離れて設けられているため、人体に触れにくく体毛処理の邪魔にならず、スチーム加熱部が人体、グリップ部および把持した手から離れているため、スチーム加熱部の熱が直接人体や、グリップ部および把持した手にまわり難く、快適に体毛処理を行える。
【００２９】
また、請求項９記載の発明にあっては、上記請求項１乃至８記載の発明の効果に加え、体毛処理部とスチーム加熱部の間に水貯蔵部を位置させることで、体毛処理部がスチーム加熱部と離れた位置関係になり、スチーム加熱部により体毛処理部が熱くなることを防止できる。
【００３０】
また、請求項１０記載の発明にあっては、上記請求項１乃至９記載の発明の効果に加え、体毛処理を行ったときに発生する体毛くずを吸引する吸引装置を設けることで、皮膚に付着した体毛くずを吸い取ることができ、体毛くずが体毛処理の邪魔にならず、快適に体毛処理を続けることができる。
【００３１】
また、請求項１１記載の発明にあっては、上記請求項１乃至１０記載の発明の効果に加え、放出するスチームの量を使用者が調節部により調節できることで、使用者の好みに応じたスチーム条件でスチームをあてられ、快適な体毛処理ができる。
【発明を実施するための最良の形態】
【００３２】
以下、本発明を添付図面に示す実施形態に基づいて説明する。
【００３３】
本発明の実施例は、図１〜５に示されており、体毛処理を行うときに把持するグリップ部１２と括れた部位であるネック部１５を設けた電気かみそり本体１１と、電気かみそり本体１１とネック部１５で繋がった体毛処理を行う体毛処理部３、からなる電気かみそり１である。
【００３４】
体毛処理部３は、体毛を処理する複数の刃３２と、刃３２を駆動する駆動手段（本実施例では図示しない）を設けた刃ヘッド部３１、からなるものであり、刃３２は接触面３３において刃ヘッド部３１から露出しており、接触面３３で人体８と接触させることで体毛処理を行う。
【００３５】
また、前記電気かみそり本体１１に設けられたネック部１５には、着脱自在にスチーム発生装置２が取り付けられており、スチーム発生装置２と電気的接続を行う通電端子１３がスチーム発生装置２に向けて設けられている。
【００３６】
電気かみそり本体１１のグリップ部１２を把持して、上記スチーム発生装置２からスチーム７を放出しながら、電気かみそり１の体毛処理部３を稼動させることにより、スチーム処理と体毛処理を同時に行うものである。
【００３７】
また、スチーム発生装置２は、ケーシング２１とケーシングカバー２１ａで外観を覆われており、スチーム発生機構として、スチーム放出部２２と、スチーム加熱部２３と、水貯蔵部２４を設けたものである。
【００３８】
スチーム発生装置２のケーシング２１は、電気かみそり１側に向かって、電気かみそり本体１１のネック部１５を二股に分かれた突出部２６，２６で挟み込む形で設けている。
【００３９】
ケーシング２１の突出部２６，２６の向かい合う側面にはスチーム発生装置２を電気かみそり本体１１に取り付ける取付けフック２７，２７が夫々設けてあり、電気かみそり本体１１に設けられたネック部１５に取り付けられる。
【００４０】
更に、ケーシング２１の突出部２６，２６の向かい合う側面の間をつなぐ電気かみそり１のネック部１５とケーシング２１が接触する面には、電気かみそり１の通電端子１３と電気的接続を行うスチーム発生装置２の通電端子２８のための貫通穴２８ａが設けており、貫通穴２８ａの内部にスチーム発生装置２の通電端子２８が設けられている。
【００４１】
上記通電端子２８は、電気かみそり１にスチーム発生装置２を取り付けたときに、電気かみそり１のネック部１５に設けられている通電端子１３と電気的接続を行うものである。
【００４２】
また、スチーム発生装置２のケーシング２１内部には、スチーム７用の水を蓄えた水貯蔵部２４と、水貯蔵部２４から供給された水を加熱するスチーム加熱部２３と、スチーム加熱部２３とチューブ２５で繋がっており生成されたスチーム７を放出するスチーム放出部２２が設けられている。
【００４３】
水貯蔵部２４は、スチーム７用の水を蓄える水タンク２４１と、水タンク２４１に水を補給するときの補給口を塞ぐふた２４２からなるもので、水タンク２４１はスチーム発生装置２と着脱自在に設けられている。
【００４４】
更に、水タンク２４１の着脱用の開口部２９を、ケーシングカバー２１ａに設けることにより、水の補給を容易にできる。
【００４５】
また、スチーム加熱部２３は、水貯蔵部２４から水の供給を受けスチーム７を発生させるものであり、ボイラー室２３１と、ボイラー室２３１に密接して四方をねじ２３４によりボイラー室２３１に固定されたヒータ２３２からなるものである。
【００４６】
ボイラー室２３１は、水貯蔵部２４の水タンク２４１から、スチーム７用の水の供給を受けており、密接して固定されたヒータ２３２によりボイラー室２３１は加熱されスチーム７を生成させる。
【００４７】
また、ヒータ２３２は、コード２３３により外部電源から電力の供給を受けるものであり、前記のスチーム発生装置２の通電端子２８と電気かみそり１の通電端子１３の電気的接続により、電気かみそり本体１１のスイッチ１４と連動されスチーム７の生成のオンオフを操作できるものであってもよい。
【００４８】
また、発生された前記スチーム７は、ボイラー室２３１からチューブ２５を経由して、チューブ２５の二股に分かれた夫々の端部に設けられたスチーム放出部２２に流れていく。
【００４９】
スチーム放出部２２は、ケーシング２１の二つの突出部２６，２６の夫々に人体８に向けて円形に開口した放出口２２１，２２１を設けており、チューブ２５から流れてきたスチーム７が放出口２２１より、人体８に向かって放出されるものである。
【００５０】
また更に、放出口２２１には、スチーム７の放出量を調節する調節部である可変レバー２２２が設けてある。
【００５１】
上記可変レバー２２２は、ゴムや樹脂からなり、スチーム７の流動方向と直交して設けられており、ケーシング２１の突出部２６から一端が突出しており、もう一端は放出口２２１の内部に突出しているものである。
【００５２】
上記可変レバー２２２は、放出口２２１の内部に入出自在であり、放出口２２１に可変レバー２２２を入出させることで、放出口２２１内部の隙間Ｓが変化し、スチーム７の放出量を調節でき、使用者の好みに合ったスチーム７の放出量にできるものである。
【００５３】
また、スチーム放出部２２と人体８が接触しているかどうかを検知する接触センサなどの検知手段と、接触センサからの情報によりスチーム７の生成のオンオフを自動で行う制御手段、からなる判断装置（本実施例では図示しない）をスチーム発生装置２に設けることにより、スチーム発生装置２の操作が簡便化され、スチーム効果の必要なときのみスチーム７を放出でき、尚且つスチーム７の余分な放出を防止することができ、スチーム発生装置２の使用可能な時間の延長ができる。
【００５４】
更に、体毛処理部３が人体８に接触しているかどうかを検知する接触センサなどの検知手段と、接触センサからの情報によりスチーム７の生成のオンオフを自動で行う制御手段、からなる判断装置を設けることにより、体毛処理部３が人体８に接触しているときのみスチーム７を生成し放出させるものであれば、体毛処理の行われたときのみスチーム７が放出され、スチーム７の余分な放出を防止することができ、スチーム発生装置２の使用可能な時間を延長することができるものであってもよい。
【００５５】
また、スチーム発生装置２は、グリップ部１２を把持して体毛処理を行うとき、スチーム発生装置２がグリップ部１２およびグリップ部１２を把持した手に接触しない構成で、電気かみそり本体１１のネック部１５に取り付けられている。
【００５６】
グリップ部１２およびグリップ部１２を把持した手に接触しない構成でスチーム発生装置２が設けられているため、グリップ部１２および把持した手がスチーム加熱部２３のヒータ２３２により直接熱くなることがなく、グリップ部１２のグリップ感の悪化を防止できる。
【００５７】
また、スチーム加熱部２３と体毛処理部３の間に水貯蔵部２４を設けた構成にすることで、スチーム加熱部２３のヒータ２３２は、体毛処理部３に対して常に水貯蔵庫２４を挟んだ位置にあり、体毛処理部３がヒータ２３２によって熱くなることを防止できる。
【００５８】
更に、スチーム加熱部２３は、グリップ部１２を把持して体毛処理を行うとき、人体８に対して電気かみそり１を挟んだ位置にあり、人体８にスチーム加熱部２３のヒータ２３２の熱が伝わりにくい。
【００５９】
また、あごの下などを剃るときにグリップ部１２が人体８にきわめて近くに寄ったとしても、スチーム発生装置２はスチーム放出部２２を除き人体８から電気かみそり１を挟んだ離れた位置にあるため、スチーム発生装置２は、スチーム放出部２２を除き人体８に接触することはなく、操作性を妨げない。
【００６０】
また、図６に示す他例は、刃３２の設けられている接触面３３を人体８の体毛処理を行う面に接触させて体毛処理を行うとき、体毛処理を行うために人体８に接触した刃３２の設けられている接触面３３を体毛処理部３の正面として、スチーム放出部２２，２２で刃ヘッド部３１を側面から挟み込む形に放出口２２１を左右の側面に夫々設けたことにより、刃ヘッド部３１の左右の側面側から正面に向けてスチーム７が放出されるものである。
【００６１】
更に、スチーム発生装置２は、電気かみそり１に対して、刃ヘッド部３１に取り付けられており、ネック部１５以外の部位にスチーム発生装置２が取り付けられていてもよい。
【００６２】
また、スチーム放出部２２および放出口２２１は、二つ設けられているだけなく、複数あるいは一つだけ設けてあってもよい。
【００６３】
また、更に図７に示す他例は、スチーム放出部２２の放出口２２１を体毛処理部３の複数ある刃３２の間に設け、刃３２，３２間からスチーム７が放出されるものであり、刃３２で人体８の体毛処理が行われている部位と同様の部位にスチーム７があたるため、スチーム７の放出する量を節約することができるものであり、スチーム発生装置２の使用可能な時間を伸ばすことができるものである。
【００６４】
また更に、体毛処理部３は複数の刃３２からなるため、刃３２，３２間が複数あり、一部もしくはすべての刃３２，３２間に夫々放出口２２１を設けたものであってもよい。
【００６５】
また、スチーム放出部２２および放出口２２１は、前記の、ネック部１５に取り付けた突出部２６、刃ヘッド部３１の側面、刃３２，３２間のいずれか、もしくはすべてを組み合わせた位置に複数あるいは一体で設けたものであってよく、使用者の好みに応じて適時放出位置を変更調節できるものであってもよい。
【００６６】
また、放出口２２２の開口部の形状は、円形だけでなく、半円状に開口してあってよく、ましてや多角形でもよく、開口部の形状は取り付けた位置もしくは隙間に合わせた形状で、自在に設けてあってもよい。
【００６７】
また、図８に示す他例は、体毛処理を行ったことで発生した体毛くずを吸引する吸引装置５をスチーム発生装置２に設けたものであり、体毛くずの人体８への付着によって、快適な体毛処理が阻害されることを防止するものである。
【００６８】
吸引装置５は、体毛くずを吸引する吸引口５１と、通風管５３と、吸引部５２からなり、吸引口５１から体毛くずを吸引し、通風管５３を通り、スチーム発生装置２内部に設けられた吸引部５２へ吸引されるものである。
【００６９】
また、放出口２２１から出たスチーム７が人体８に触れる前に吸引口５１に直接吸引されることによりスチーム効果が低下することを防止するため、吸引口５１は、体毛処理部３を放出口２２１との間に挟んだ位置に設けられている。
【００７０】
また、図９に示す他例は、スチーム発生装置２を電気かみそり１に一体で設けたものであり、体毛処理部３の設けられている側を電気かみそり本体１１のグリップ部１２に対する上方として、スチーム放出部２２をグリップ部１２より上方にあるネック部１５に設け、水貯蔵部２４をグリップ部１２より下方に設け、更に水貯蔵部２４より下方にスチーム加熱部２３を設けたものである。
【００７１】
スチーム発生装置２のスチーム加熱部２３と水貯蔵部２４をグリップ部１２より下方の場所に設けることで、グリップ部１２の肥大化と、スチーム加熱部２３により体毛処理部３が熱くなることを防止でき、グリップ部１２とスチーム加熱部２３の間に水貯蔵部２４を設けることでグリップ部１２が熱くなることも防止できる。
【００７２】
また、上記のスチーム発生装置２と一体で設けられた電気かみそり１において、放出口２２１の位置は、前記の図６，７などの他例と同様に刃ヘッド部３１の側面や、複数の刃３２，３２の間の位置に設けられているものであってもよく、更に夫々の位置に設けた放出口２２１を組み合わせたものであってもよく、設けられる放出口２２１の数が二つだけでなく複数もしくは一つでもよい。
【００７３】
また更に、スチーム放出装置２が電気かみそり１に一体で設けられているものであっても、体毛処理部３あるいはスチーム放出部２２が人体８に接触しているかどうかを検知する接触センサなどの検知手段と、検知手段からの情報によりスチーム加熱部２３のヒータ２３２のオンオフを自動で行う制御手段、からなる判断装置を設けることで、スチーム効果の必要なときのみスチーム７を放出でき、スチーム発生装置２の操作が簡便化され、尚且つスチーム７が節約でき、スチーム発生装置２の使用可能な時間の延長ができる。
【図面の簡単な説明】
【００７４】
【図１】本発明の実施例の側面図である。
【図２】同上の斜視図である。
【図３】同上の電気かみそりからスチーム発生装置を外した状態の斜視図である。
【図４】同上のスチーム発生装置の分解斜視図である。
【図５】同上の可変レバー周辺の要所拡大断面図である。
【図６】同上の他例として、刃ヘッド部周辺部の左右の両側面にスチーム放出部を設けた側面図である。
【図７】同上の他例として刃間に放出口を設けたものの（ａ）側面図と（ｂ）体毛処理部内の簡略図である。
【図８】同上の他例として吸引装置を設けたものの側面図である。
【図９】同上の他例として、電気かみそりとスチーム発生装置が一体となって設けられた側面図である。
【符号の説明】
【００７５】
１  電気かみそり
１１  電気かみそり本体
１２  グリップ部
１３  通電端子
１４  スイッチ
１５  ネック部
２  スチーム発生装置
２１  ケーシング
２１ａ  ケーシングカバー
２２  スチーム放出部
２２１  放出口
２２２  可変レバー
２３  スチーム加熱部
２３１  ボイラー室
２３２  ヒータ
２３３  コード
２３４  ねじ
２４  水貯蔵部
２４１  水タンク
２４２  ふた
２５  チューブ
２６  突出部
２６ａ  突出部
２７  取り付けフック
２８  通電端子
２８ａ  貫通穴
２９  開口部
３  体毛処理部
３１  刃ヘッド部
３２  刃
３３  接触面
５  吸引装置
５１  吸引口
５２  吸引部
５３  通風管
７  スチーム
８  人体
Ｓ  隙間
【図１】
0005174524.tif 000002
【図２】
0005174524.tif 000003
【図３】
0005174524.tif 000004
【図４】
0005174524.tif 000005
【図５】
0005174524.tif 000006
【図６】
0005174524.tif 000007
【図７】
0005174524.tif 000008
【図８】
0005174524.tif 000009
【図９】
0005174524.tif 000010